(57)【要約】【課題】宅地造成用の擁壁を用いて造成した宅地上に建造物を建てる際に擁壁の保持構造物が地下で障害にならない宅地造成用の擁壁を提供する。【解決手段】擁壁裏面にタイバー袖壁を設け、該タイバー袖壁が造成宅地の各敷地境界線上内のみに埋設されている構成とした。【選択図】図２
2012177263.tif 000002
【特許請求の範囲】
【請求項１】
親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内に埋設されていることを特徴とする宅地造成用の擁壁。
【請求項２】
前記造成宅地の各敷地境界線上内に埋設されるタイバー袖壁は施工現場において鉄筋コンクリートを打設して製作され、該タイバー袖壁と前記擁壁裏面との接続はアンカーやケミカルアンカーを介して一体化されていることを特徴とする請求項１に記載された宅地造成用の擁壁。
【請求項３】
前記造成宅地の各敷地境界線上内に埋設されるタイバー袖壁は直方体形状を有した複数個のＰＣコンクリートブロック片を下方より積み重ね縦横に配置された緊張可能な緊張シャフト又は緊張ワイヤーからなる緊張線にて連繋し一体化されており、該タイバー袖壁と擁壁裏面との接続も横に配置された緊張可能な緊張シャフト又は緊張ワイヤーからなる緊張線にて連繋して一体化していることを特徴とする請求項１に記載された宅地造成用の擁壁。
【請求項４】
前記造成宅地の各敷地境界線上内に埋設されるタイバー袖壁はＵ字形状を有したＰＣコンクリートブロック片を下方より積み重ね夫々のＵ字形状内部にコンクリートを打設可能となし、該Ｕ字形状のＰＣコンクリートブロック片からなるタイバー袖壁と擁壁の一体化は縦横に配置され緊張可能な緊張シャフト又は緊張ワイヤーからなる緊張線にて行うことを特徴とした請求項１に記載された宅地造成用の擁壁。
【請求項５】
前記造成宅地の各敷地境界線上内に埋設されるタイバー袖壁を構成する直方体形状のＰＣコンクリートブロック片、並びにＵ字形状のＰＣコンクリートブロック片にはブロック片の積層後にコンクリートを打設することにより少なくとも夫々のＰＣコンクリートブロック片が縦方向に連繋可能なコンクリート流入用穴部を有していることを特徴とする請求項３並びに請求項４に記載された宅地造成用の擁壁。
【発明の詳細な説明】
【技術分野】
【０００１】
本発明は、傾斜地における宅地造成用の擁壁に関するものであり、特に本発明は、傾斜地を有効に利用して安全な宅地を造成するために用いられる宅地造成用の擁壁に関するものである。
【背景技術】
【０００２】
傾斜地の崩落を防止するための従来の擁壁工法の原理は、石やブロック等の擁壁材料が重みで傾斜地にもたれ掛った状態で擁壁を構築する方法や、傾斜地の土を掘削して擁壁と底盤からなるＬ型の構築物を作り、そのＬ型構築物を埋め戻して擁壁と底盤部分を安定させる方法、並びにＨ型鋼等の凹部嵌合溝を有する親杭を８０〜１５０ｃｍ程度の間隔で打設して横矢板を前記親杭間の凹部嵌合溝に嵌着して擁壁を構築する方法等がある。
【０００３】
また、近年は土地を有効利用するために傾斜地の利用は益々盛んで、傾斜地において実施される宅地造成工法では、特に豪雨や地震による地盤の崩壊を確実に防止できる擁壁を設けて安全な宅地の造成ができる工法や、比較的簡単に施工できる擁壁の構築工法の開発が求められており、その擁壁の構築工法は、傾斜地を含む狭隘な地域でも施工が可能である事、また、工事が短期間で出来ることや、工事費が比較的安価であること等が、大きなニーズとなってきている。
【０００４】
斯くして、本発明の原点となる従来例は、特開２０００−２９７４０３号公報（以下、特許文献１と称する）に記載された第１の実施形態であり、該特許文献１の第１の実施形態には、上述した傾斜地を含む狭隘な地域でも施工が可能であり、また、工事が比較的短期間で、安価に施工が出来る擁壁の施工方法を提供することを目的とした発明が記載されている。
【０００５】
特許文献１の発明を概略説明すると、図１０（Ａ）は、特許文献１に開示された発明を示す断面図であり、図１０（Ｂ）は同じく平面図である。図１０（Ａ）、（Ｂ）において、５０は基礎、５１は支柱、５２は壁版、５３はアンカーウェイト、５４はタイバー、５５は床板である。
【０００６】
擁壁はどのような構造でもよいが、ここでは一例として、適当な間隔で杭状の基礎５０を形成し、Ｈ型鋼などの支柱５１を立てる。そして、支柱５１間にＰＣ版などにより壁版５２を設け、擁壁を構築している。一方、擁壁よりも山側の安定地盤にアンカーウェイト５３を設置し、アンカーウェイト５３と擁壁（支柱５１）間をタイバー５４で結ぶ。アンカーウェイト５３は、例えば鉄筋コンクリートや杭などで構成することができる。また、タイバー５４は、例えば擁壁（支柱５１）とアンカーウェイト５３間に１ないし複数本のワイヤーを張設し、あるいは骨材を両端で固定し、該ワイヤーあるいは骨材をコンクリート等によって固めて構成することができる。さらには、ＰＣ版を擁壁（支柱５１）とアンカーウェイト５３に固定することによって構成することもできる。
【０００７】
そして、特許文献１に記載された実施形態では、床板５５を壁版５２よりも谷側に張り出して設置した場合、床板５５の自重や床板５５上にかかる荷重によって、擁壁は谷側にモーメント力を受ける。さらに擁壁は、山側の土圧と谷側の土圧の大きさの違いから、谷側に向く方向の力を受けている。しかし、アンカーウェイト５３が安定地盤に設置され、アンカーウェイト５３と擁壁とがタイバー５４によって結ばれているので、アンカーウェイト５３の受ける土圧や、タイバー５４が周囲より受ける摩擦力や土圧などによって、上述のような擁壁にかかる力に対抗することができると、している。
【０００８】
然しながら、特許文献１に記載された発明では、各擁壁（支柱５１）の山側、即ち、裏面側には、夫々の擁壁（支柱５１）を保持するためのタイバー５４とアンカーウェイト５３が連結、一体化されており、夫々の擁壁（支柱５１）の裏面から安定地盤まで延びているタイバー５４の部材と安定地盤上に設置されるアンカーウェイト５３は、造成された宅地の地中に埋蔵された構造物として存在することになり、宅地上に建造物を構築する際の障害となることが多い。
【０００９】
従って、特許文献１の発明は、工事が比較的短期間で、安価に施工が出来る擁壁の構築方法を提供することが可能となり、谷側に大きく張り出して設置される道路等の擁壁構築工法の発展に大いに寄与したが、夫々の擁壁（支柱５１）の裏面から安定地盤まで延びているタイバー５４の部材と安定地盤上に設置されるアンカーウェイト５３は、造成された宅地の地中に埋蔵された構造物として存在することになり、宅地上に建造物を構築する際の障害となる欠点を有しており、この点の改良が求められている。
【先行技術文献】
【特許文献】
【００１０】
【特許文献１】特開２０００−２９７４０３号公報
【発明の概要】
【発明が解決しようとする課題】
【００１１】
本発明が解決しようとする課題は、傾斜地に擁壁を構築して宅地造成を行う際に、擁壁を保持するタイバーや安定地盤上に設置されるアンカーウェイトが造成宅地の地中に埋蔵された構造物として存在せず、造成宅地上に建造物を建てる際の障害にならない傾斜地における宅地造成用の擁壁を提供するものである。
【００１２】
また、本発明において、擁壁を構成する夫々の擁壁パネルは、中央部に親杭の上部が構成する支柱を挿入できる貫通穴を有し、該貫通穴の外周部裏面にはブラケット状に突設された形状で一部にタイバー固着面を形成可能であり、該擁壁パネルの表面は前記支柱の貫通穴を中心に左右方向に等しく展開する平板形状を有しており、該擁壁パネルは打設された親杭の上部に形成された支柱に挿入されて積層されることにより擁壁を構成するもので、該擁壁パネルをもちいることにより、狭隘な傾斜地を有する地域においても効率良く安全な宅地造成用の擁壁が施工可能となる。
【課題を解決するための手段】
【００１３】
本発明における課題を解決するための手段として、本発明は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所（任意高さで）、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内のみに埋設されている構成とした。
【００１４】
そして、本発明における擁壁とタイバー袖壁との連繋は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内のみに埋設されている構成となし、前記造成宅地の各敷地境界線上内に埋設されるタイバー袖壁は施工現場において鉄筋コンクリートを打設して製作され、該タイバー袖壁と前記擁壁裏面との接続はアンカーやケミカルアンカーを介して一体化されている構成とした。
【００１５】
また、本発明における擁壁とタイバー袖壁との連繋は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内のみに埋設されている構成となし、前記造成宅地の各敷地境界線上内に埋設されるタイバー袖壁は直方体形状を有した複数個のＰＣコンクリートブロック片を下方より積み重ね縦横に配置された緊張可能な緊張シャフト又は緊張ワイヤーからなる緊張線にて連繋し一体化されており、該タイバー袖壁と擁壁裏面との接続も横に配置された緊張可能な緊張シャフト又は緊張ワイヤーからなる緊張線にて連繋して一体化している構成としてもよい。
【００１６】
更に、本発明における擁壁とタイバー袖壁との連繋は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内のみに埋設されている構成となし、前記造成宅地の各敷地境界線上内に埋設されるタイバー袖壁はＵ字形状を有したＰＣコンクリートブロック片を下方より積み重ね夫々のＵ字形状内部にコンクリートを打設可能となし、該Ｕ字形状のＰＣコンクリートブロック片からなるタイバー袖壁と擁壁の一体化は縦横に配置され緊張可能な緊張シャフト又は緊張ワイヤーからなる緊張線にて行う構成とすることも可能である。
【００１７】
そして、本発明における擁壁とタイバー袖壁の連繋において、造成宅地の各敷地境界線上内のみに埋設されるタイバー袖壁の構成部材は、直方体形状のＰＣコンクリートブロック片、並びにＵ字形状のＰＣコンクリートブロック片を採用し、該直方体形状のＰＣコンクリートブロック片、並びにＵ字形状のＰＣコンクリートブロック片にはブロック片の積層後にコンクリートを打設することにより少なくとも夫々のＰＣコンクリートブロック片が縦横に連繋可能なコンクリート流入用穴部を有している構成とした。
【発明の効果】
【００１８】
而して、本発明は、傾斜地に擁壁を構築して宅地造成を行う際に、擁壁を保持するタイバーや安定地盤上に設置されるアンカーウェイトが造成宅地の地中に埋蔵された構造物として存在せず、造成宅地上に建造物を建てる際の障害にならない傾斜地における宅地造成用の擁壁を提供することが可能である。
【００１９】
また、本発明は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁を構成するものであり、擁壁パネルのサイズは、幅約２０００ｍｍ、高さ約１０００ｍｍ程度の比較的小さなモジュールとすることができ、また、タイバー袖壁部材においても、直方体形状のＰＣコンクリートブロック片、並びにＵ字形状のＰＣコンクリートブロック片等を積み重ね連結する構成が可能であることから、狭隘な傾斜地においても小型の楊重機にて施工することが可能である。
【００２０】
更に、本発明は、施工現場に型枠大工や配筋工などの熟練工を投入して工事する必要がなく、また、擁壁パネルやタイバー袖壁部材も工場内生産のＰＣコンクリート製品を用いることが可能で、その施工方法も簡略化できる事から工事が短期間で行え、効率良く安全な宅地造成用の擁壁施工が行えるものである。
【図面の簡単な説明】
【００２１】
【図１】（Ａ）本発明に使用される擁壁パネルの形状を示す平面図である。           （Ｂ）本発明に使用される擁壁パネルの形状を示す正面図である。
【図２】本発明を傾斜地に実施した状態を示す平面説明図である。
【図３】本発明を実施した状態を示す正面図である。
【図４】実施例１を説明する斜視図で擁壁パネル、タイバー袖壁、頭繋ぎ部材の構成説明図である。
【図５】実施例２を説明する斜視図でＰＣコンクリートブロック片からなるタイバー袖壁構成図である。
【図６】実施例２を説明するタイバー袖壁部の側面図である。
【図７】実施例２を説明するＰＣコンクリートブロック片からなるタイバー部材形状図である。
【図８】実施例３を説明するＰＣコンクリートブロック片からなるタイバー部材形状図である。
【図９】実施例３を説明するタイバー袖壁部の側面図である。
【図１０】（Ａ）従来の擁壁の施工例を説明する断面図である。         （Ｂ）従来の擁壁施工例を説明する平面図である。
【発明を実施するための形態】
【００２２】
本発明は、傾斜地に擁壁を構築して宅地造成を行う際に、擁壁を保持するタイバーや安定地盤上に設置されるアンカーウェイトが造成宅地の地中に埋蔵された構造物として存在せず、造成宅地上に建造物を建てる際の障害にならない傾斜地における宅地造成用の擁壁を提供するものである。
【００２３】
また、本発明において、擁壁を構成する夫々の擁壁パネルは、中央部に親杭の上部が構成する支柱を挿入できる貫通穴を有し、該貫通穴の外周部裏面にはブラケット状に突設された形状で一部にタイバー固着面を形成可能であり、該擁壁パネルの表面は前記支柱の貫通穴を中心に左右方向に等しく展開する平板形状を有しており、該擁壁パネルは打設された親杭の上部に形成された支柱に挿入されて積層されることにより擁壁を構成するもので、該擁壁パネルをもちいることにより、狭隘な傾斜地を有する地域においても効率良く安全な宅地造成用の擁壁が施工を可能にした。
【００２４】
斯くして、本発明は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所（任意高さで）、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内のみに埋設されていることを要旨としている。
【００２５】
そして、本発明における擁壁とタイバー袖壁との連繋は、親杭上部が構成する支柱を一定間隔にて打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内のみに埋設されている構成となし、前記造成宅地の各敷地境界線上内に埋設されるタイバー袖壁は施工現場において鉄筋コンクリートを打設して製作され、該タイバー袖壁と前記擁壁裏面との接続はアンカーやケミカルアンカーを介して一体化されている構成とした。
【００２６】
また、本発明における擁壁とタイバー袖壁との連繋は、親杭上部が構成する支柱を一定間隔にて打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内のみに埋設されている構成となし、前記造成宅地の各敷地境界線上内に埋設されるタイバー袖壁は直方体形状を有した複数個のＰＣコンクリートブロック片を下方より積み重ね縦横に配置された緊張可能な緊張シャフト又は緊張ワイヤーからなる緊張線にて連繋し一体化されており、該タイバー袖壁と擁壁裏面との接続も横に配置された緊張可能な緊張シャフト又は緊張ワイヤーからなる緊張線にて連繋して一体化している構成とすることも好ましい。
【００２７】
更に、本発明における擁壁とタイバー袖壁との連繋は、親杭上部が構成する支柱を一定間隔にて打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁裏面にタイバー袖壁を設け、該タイバー袖壁が造成宅地の各敷地境界線上内のみに埋設されている構成となし、前記造成宅地の各敷地境界線上内に埋設されるタイバー袖壁はＵ字形状を有したＰＣコンクリートブロック片を下方より積み重ね夫々のＵ字形状内部にコンクリートを打設可能となし、該Ｕ字形状のＰＣコンクリートブロック片からなるタイバー袖壁と擁壁の一体化は縦横に配置され緊張可能な緊張シャフト又は緊張ワイヤーからなる緊張線にて行う構成とすることも好ましい。
【００２８】
そして、本発明における擁壁とタイバー袖壁の連繋において、造成宅地の各敷地境界線上内のみに埋設されるタイバー袖壁の構成部材は、直方体形状のＰＣコンクリートブロック片、並びにＵ字形状のＰＣコンクリートブロック片を採用し、該直方体形状のＰＣコンクリートブロック片、並びにＵ字形状のＰＣコンクリートブロック片にはブロック片の積層後にコンクリートを打設することにより少なくとも夫々のＰＣコンクリートブロック片が縦横に連繋可能なコンクリート流入用穴部を有している構成とすることも好ましい。
【実施例１】
【００２９】
図１乃至図４は本発明の実施例１を説明するものであり、図１（Ａ）は本発明に使用される擁壁パネルの平面図、図１（Ｂ）は図１（Ａ）の正面図、図２は本発明を傾斜地に実施した状態を示す平面説明図、図３は実施例１を説明する擁壁の正面図、図４は実施例１を説明する斜視図で擁壁パネル、タイバー袖壁、頭繋ぎ部材の構成説明図である。
【００３０】
図１（Ａ）（Ｂ）において、１は擁壁パネル、２は擁壁パネル１の中央部に構成される貫通穴、３はタイバー固着面、４は擁壁パネルを積層する際に他の擁壁パネルとの嵌合に使用されるガイドピンを示している。
【００３１】
実施例１において、擁壁を構成する夫々の擁壁パネル１は中央部に親杭の上部が構成するＨ型鋼等による支柱を挿入できる貫通穴２を有し、該貫通穴２の外周部にはブラケット状に突設された形状で一部にタイバー固着面３を形成可能であり、該擁壁パネル１の表面は前記支柱の貫通穴２を中心に左右方向に等しく展開する平板形状を有しており、該擁壁パネル１は打設された親杭の上部に形成された支柱に挿入されて積層され擁壁を構成するものである。
【００３２】
図２は本発明を傾斜地に実施した状態を示す平面図であり、図２において、５は道路、６ａ、６ｂ、６ｃは本発明により造成された宅地、７ａ、７ｂは造成された宅地の敷地境界線、８は擁壁、１ａ、１ｂ、１ｃ・・・は擁壁パネル、２ａ、２ｂ、２ｃ・・・は貫通穴、９ａ、９ｂ、９ｃ・・・は親杭の上部に形成された支柱、１０は前記擁壁パネル１ａ、１ｂ、１ｃ・・・を載置して積層するための基台、１１ａ、１１ｂはタイバー袖壁で、該タイバー袖壁１１ａ、１１ｂは前記擁壁パネルのタイバー固着面３に接着材やアンカーボルト、またはケミカルアンカー等にて連繋され一体化されている。
【００３３】
そして、実施例１において、タイバー袖壁１１ａ、１１ｂ間は、造成された宅地６ｂの傾斜面側を擁壁パネル１ａ〜１ｅの５枚にて形成しており、タイバー袖壁１１ａ、１１ｂは夫々の宅地６ａ、６ｂ、６ｃの敷地境界線上７ａ、７ｂ上に設置されている。
【００３４】
図３は、図２にて示した擁壁８の正面図であり、図３において、１２ａ、１２ｂ、１２ｃ…は親杭、９ａ、９ｂ、９ｃ・・・は親杭の上部に形成された支柱、該支柱９ａ、９ｂ、９ｃ・・・には、夫々擁壁パネル１ａ、１ｂ、１ｃ・・・に擁壁パネルが３枚ずつ積層されていて、高さを有する擁壁８を構成している。そして、各擁壁パネル１ａ、１ｂ、１ｃ・・・は夫々の支柱９ａ、９ｂ、９ｃ・・・により保持されているが、その上部を頭繋ぎ部材１３にて連繋されていて、擁壁８として一体化されており、また、前記擁壁８は、図２にて示す如く、擁壁パネル１ａ、１ｅの部分でタイバー袖壁１１ａ、１１ｂが安定地盤方向に設置された構成を有しており、支柱９ａ、９ｂ、９ｃ・・・と頭繋ぎ部材１３、並びにタイバー袖壁１１ａ、１１ｂにより擁壁８の強度を保持している。
【００３５】
図４は、前記擁壁８とタイバー袖壁１１ａ、そして頭繋ぎ部材１３の構成を示す斜視図で、１２ａは親杭、９ａは支柱、８は擁壁パネルを前記支柱９ａにより積層した擁壁を示しており、該擁壁８の裏面で夫々の擁壁パネル１ａ等のタイバー固着面３には、ＰＣコンクリートブロックや現場施工の鉄筋コンクリート製タイバー袖壁１１ａが固着一体化されている。そして、この擁壁パネルの固着面３とタイバー袖壁１１ａの固着手段は、接着材やアンカーボルト、またはケミカルアンカー等が使用されている。
【００３６】
斯くして、本発明の実施例１は、親杭１２ａ、１２ｂ、１２ｃ・・・上部が構成する支柱９ａ、９ｂ、９ｃ・・・を一定間隔を有して打設し、該夫々の支柱９ａ、９ｂ、９ｃ・・・により垂直方向に積層される複数枚の擁壁パネル１ａ、１ｂ、１ｃ・・・と、該夫々の支柱９ａ、９ｂ、９ｃ・・・により垂直方向に積層される複数枚の擁壁パネルの上部を頭繋部材１３にて連結して幅広の擁壁パネル群からなる擁壁８を構築し、該幅広の擁壁パネル群からなる擁壁８裏面にタイバー袖壁１１ａ、１１ｂを設け、該夫々のタイバー袖壁１１ａ、１１ｂが造成宅地の各敷地境界線７ａ、７ｂ上内に埋設されている構成の宅地造成用の擁壁である。
【００３７】
また、実施例１において、前記造成宅地の各敷地境界線７ａ、７ｂ上内に埋設されるタイバー袖壁１１ａ、１１ｂはＰＣコンクリートブロックや施工現場において鉄筋コンクリートを打設して製作され、該タイバー袖壁１１ａ、１１ｂと前記擁壁裏面との接続はアンカーやケミカルアンカーを介して一体化されているものである。
【実施例２】
【００３８】
図５乃至図７は実施例２を説明するもので、図５は実施例２を説明する斜視図でＰＣコンクリートブロック片からなるタイバー袖壁構成図、図６は同様に実施例２を説明するタイバー袖壁部の側面図、そして図７はＰＣコンクリートブロック片からなるタイバー袖壁の部材形状説明図である。
【００３９】
図５は擁壁８とタイバー袖壁１１ａ、そして頭繋ぎ部材１３の構成を示す斜視図で、１２ａは親杭、９ａは支柱、８は擁壁パネルを前記支柱９ａにより積層した擁壁を示しており、該擁壁８の裏面で夫々の擁壁パネル１ａ等のタイバー固着面３には、直方体形状のＰＣコンクリートブロック片１４ａ、１４ｂ、１４ｃ・・・とタイバー端部役物１５からなるタイバー袖壁１１ａが設けてある。即ち、タイバー袖壁１１ａはＰＣコンクリートブロック片１４ａ、１４ｂ、１４ｃ・・・とタイバー端部役物１５を積層して、シース管１６（図７に示す）に内蔵された横緊張線１７ａ、１７ｂと同様にシース管１６に内蔵された縦緊張線１８ａ、１８ｂにて一体化された構成を有している。
【００４０】
また、実施例２の側面図を示す図６において、１ａ、１ｂ、１ｃ・・・は擁壁パネル、８は擁壁パネルが支柱９ａにより保持されて積層され擁壁を構成している。１４ａ、１４ｂ、１４ｃ・・・はタイバー袖壁１１ａを構成するＰＣコンクリートブロック片、１５はタイバー端部役物、１７ｂ、１７ｃはシース管１６（図７に示す）に内蔵された横緊張線、１８ａ、１８ｂはシース管１６に内蔵された縦緊張線で、横緊張線１７ｂ、並びに縦緊張線１８ｂの端は夫々緊張線材の係止端部１９と他端には外端部緊締ネジ部２０が設けられており、外端部緊締ネジ部２０を締め付けすることにより、前記ＰＣコンクリートブロック片１４ａ、１４ｂ、１ｃｃ・・・を連結して、タイバー袖壁１１ａを形成する他、前記擁壁パネル１ａ、１ｂ、１ｃ・・・とタイバー袖壁１１ａを擁壁８に強固に保持固定している。
尚、図６において、２１は安定地盤、６ａは擁壁８により形成された宅地、１３は親杭に打設された支柱９ａ、９ｂ、９ｃ・・・間を連結する頭繋ぎ部材である。
【００４１】
そして、図７は要部拡大斜視図で、前記タイバー袖壁１１ａ、１１ｂ等を構成するＰＣコンクリートブロック片１４ｃ、１４ｄ・・・の直方体形状と、タイバー端部役物１５の部材形状、並びにシース管１６に内蔵された横緊張線１７ａ、１７ｂ、１７ｃ・・・、シース管１６に内蔵された縦緊張線１８ａ、１８ｂ、１８ｃ・・・を示している。
【００４２】
斯くして、実施例２の発明は、親杭１２ａ、１２ｂ、１２ｃ・・・上部が構成する支柱９ａ、９ｂ、９ｃ・・・を一定間隔にて打設し、該夫々の支柱９ａ、９ｂ、９ｃ・・・により垂直方向に積層される複数枚の擁壁パネル１ａ、１ｂ、１ｃ・・・、該夫々の支柱９ａ、９ｂ、９ｃ・・・により垂直方向に積層される複数枚の擁壁パネル１ａ、１ｂ、１ｃ・・・の上部を頭繋部材１３にて連結して幅広の擁壁パネル群からなる擁壁８を構築し、該幅広の擁壁パネル群からなる擁壁８裏面にタイバー袖壁１１ａ、１１ｂを設け、該タイバー袖壁１１ａ、１１ｂが造成宅地の各敷地境界線７ａ、７ｂ上内に埋設されていることを特徴とする宅地造成用の擁壁において、前記造成宅地の各敷地境界線７ａ、７ｂ上内に埋設されるタイバー袖壁１１ａ、１１ｂは直方体形状を有した複数個のＰＣコンクリートブロック片１４ａ、１４ｂ、１４ｃ・・・を下方より積み重ね縦横に配置された緊張可能な緊張シャフト又は緊張ワイヤーからなる緊張線にて連繋し一体化されており、該タイバー袖壁１１ａ、１１ｂと擁壁８裏面との接続も横に配置された緊張可能な緊張シャフト又は緊張ワイヤーからなる緊張線にて連繋して一体化するものである。
【実施例３】
【００４３】
図８及び図９は、本発明の実施例３を説明するもので、図８は実施例３を説明するＰＣコンクリートブロック片からなるタイバー部材形状図、図９は実施例３を説明するタイバー側面図である。図８及び図９において、２２はＵ字形状を有したＰＣコンクリートブロック片であり、該Ｕ字形状を有したＰＣコンクリートブロック片２２のＵ字溝２３内部にはシース管１６に内蔵された横緊張線１７ａ、１７ｂが配設されている。また、前記Ｕ字形状を有するＰＣコンクリートブロック片２２の底面にはコンクリート流入用穴部２４が穿設されており、Ｕ字形状を有するＰＣコンクリートブロック片２２は積層された後、コンクリートを打設してタイバー袖壁１１ａ、１１ｂを構成することができ、該タイバー袖壁は擁壁８と横緊張線１７ａ、１７ｂ等にて一体化することが可能である。
【００４４】
また、図９は、Ｕ字形状を有したＰＣコンクリートブロック片２２を用いて背の高い擁壁８に対応可能なタイバー袖壁１１ａを構築するものであるが、この場合、実施例３では、擁壁パネル１ａ、１ｂ、１ｃを積層した後に各支柱９ａ、９ｂ、９ｃ・・・を連繋する中間繋ぎ部材２５を設置して、該中間繋ぎ部材２５の上部に擁壁パネル１ｄ，１ｅ、１ｆを積層し頭繋ぎ部材１３を設けることにより目的を達成することができる。
【００４５】
斯くして、実施例３は、親杭上部が構成する支柱９ａ、９ｂ、９ｃ・・・を一定間隔を有して打設し、該夫々の支柱により垂直方向に積層される複数枚の擁壁パネル１ａ、１ｂ、１ｃ・・・と、該夫々の支柱により垂直方向に積層される複数枚の擁壁パネルの任意個所に中間繋ぎ部材２５、または上部を頭繋部材１３にて連結して幅広の擁壁パネル群からなる擁壁８を構築し、該幅広の擁壁パネル群からなる擁壁８裏面にタイバー袖壁１１ａ、１１ｂを設け、該タイバー袖壁が造成宅地の各敷地境界線上内に埋設されている構成とした。
【００４６】
また、実施例３おいて、前記造成宅地の各敷地境界線上内に埋設されるタイバー袖壁１１ａ、１１ｂは、Ｕ字形状を有したＰＣコンクリートブロック片を下方より積み重ねて構成し、該Ｕ字形状を有したＰＣコンクリートブロック片の夫々のＵ字形状内部にコンクリートを打設可能となし、該Ｕ字形状のＰＣコンクリートブロック片からなるタイバー袖壁と擁壁の一体化は縦横に配置され緊張可能な緊張シャフト又は緊張ワイヤーからなる緊張線にて行う構成とした。
【００４７】
而して、本発明は、傾斜地に擁壁を構築して宅地造成を行う際に、擁壁を保持するタイバーや安定地盤上に設置されるアンカーウェイトが造成宅地の地中に埋蔵された構造物として存在せず、造成宅地上に建造物を建てる際の障害にならない傾斜地における宅地造成用の擁壁を提供することが可能である。
【００４８】
また、本発明は、親杭上部が構成する支柱を一定間隔を有して打設し、該夫々の支柱により垂直方向に積層される複数枚の擁壁パネル、該夫々の支柱により垂直方向に積層される複数枚の擁壁パネルの任意個所、または上部を頭繋部材にて連結して幅広の擁壁パネル群からなる擁壁を構築し、該幅広の擁壁パネル群からなる擁壁を構成するものであり、擁壁パネルのサイズは、幅約２０００ｍｍ、高さ約１０００ｍｍ程度の比較的小さなモジュールとすることができ、また、タイバー袖壁部材においても、直方体形状のＰＣコンクリートブロック片、並びにＵ字形状のＰＣコンクリートブロック片等を積み重ね連結する構成が可能であることから、狭隘な傾斜地においても小型の楊重機にて施工することが可能である。
【００４９】
更に、本発明は、施工現場に型枠大工や配筋工などの熟練工を投入して工事する必要がなく、また、擁壁パネルやタイバー袖壁部材も工場内生産のＰＣコンクリート製品を用いることが可能で、その施工方法も簡略化できる事から工事が短期間で行え、効率良く安全な宅地造成用の擁壁施工が行えるものである。
【符号の説明】
【００５０】
１、１ａ、１ｂ、１ｃ・・・擁壁パネル
２  貫通穴
３  タイバー固着面
４  ガイドピン
５  道路
６ａ、６ｂ、６ｃ  宅地
７ａ、７ｂ  敷地境界線
８  擁壁
９ａ、９ｂ、９ｃ・・・  支柱
１０  基台
１１ａ、１１ｂ  タイバー袖壁
１２ａ、１２ｂ、１２ｃ・・・  親杭
１３  頭繋ぎ部材
１４ａ、１４ｂ、１４ｃ・・・  ＰＣコンクリートブロック片
１５  タイバー端部役物
１６  シース管
１７ａ、１７ｂ  横緊張線
１８ａ、１８ｂ  縦緊張線
１９  緊張線係止端部
２０  外部端緊締ネジ部
２１  安定地盤
２２  Ｕ字形状を有したＰＣコンクリートブロック片
２３  Ｕ字溝
２４  コンクリート流入用穴部
２５  中間繋ぎ部材
【図１】
2012177263.tif 000003
【図２】
2012177263.tif 000004
【図３】
2012177263.tif 000005
【図４】
2012177263.tif 000006
【図５】
2012177263.tif 000007
【図６】
2012177263.tif 000008
【図７】
2012177263.tif 000009
【図８】
2012177263.tif 000010
【図９】
2012177263.tif 000011
【図１０】
2012177263.tif 000012